【事件の表示】
　特許第３０２６０７２号「電気掃除機」の請求項１に係る特許に対する特許異議の申立てについて、次のとおり決定する。
【結　論】
　特許第３０２６０７２号の請求項１に係る特許を維持する。
【理　由】
（１）本件発明　
　本件特許第３０２６０７２号に係る出願は、平成９年２月１４日に出願され、平成１２年１月２８日に特許権の設定登録がされたものであって、その請求項１に係る発明は次のとおりのものと認める。
　
【請求項１】
　合成樹脂成形品である本体右半部と本体左半部とを接合して本体が組み立てられるようにした電気掃除機において、
　上記本体の吸込口と、本体に内装された送風機との間に形成される凹所内に、前面に吸気口が設けられると共に背面に排気口が設けられた上面開放状のケースが嵌挿され、このケースの上面が、本体に係合した蓋で気密に塞がれることにより、本体の内部に気流を前後方向に導く、集塵室が形成され、この集塵室で本体の接合部や本体に生じたクラックからの空気漏れが防止されるようになされたことを特徴とする電気掃除機。
　
（２）特許異議申立ての理由の概要
　異議申立人・樋口　守孝は証拠方法として、
　甲第１号証（実公昭６３−１７４０８号公報）
　甲第２号証（特開昭５８−１５２５２８号公報）
　甲第３号証（特公平７−４７００８号公報）
を提示し、請求項１に係る特許は、その出願の日前に頒布された刊行物である甲第１号証〜甲第３号証に記載された発明に基づいて当業者が容易に発明をすることができたものであるから、請求項１に係る特許は、特許法第２９条第２項の規定に違反してされたものであり、当該特許は取り消されるべきものであると主張している。
　
（３）甲第１〜３号証の記載事項
　特許異議申立人が提示した甲第１〜３号証には、それぞれ下記のとおりの事項が記載されている。
［甲第１号証］
　甲第１号証の第３欄第１９行〜第３欄第２５行には、
「上記本考案によれば、係止部を通気孔の後部後縁に係止することによって、パツキンの隔壁に対する装着状態は確実に保たれ、よって、そのリップと隔壁の密着も常時良好に維持される。その結果、隔壁と集塵箱との間のエアータイトを確実として所定の吸引通路を設定し、吸塵性能を向上させることができるものである。」と記載され、
　同第３欄第３４行〜第３欄第４３行には、
「７はファンモーター８を内蔵し、上下に分割可能な掃除機本体、９はフィルター装置１０および集塵したごみごと使い捨ての集塵袋１１を内蔵し、掃除機本体７により挟持された集塵箱で、前面に設けられた集塵袋取り出し口の下端部には集塵袋支持板１２が回動自在に軸支されている。１３はホース差込口１４とハンドル１５を有する前カバーで、掃除機本体７の前方下端部に回動自在に軸支され、上記集塵袋取り出し口を開閉するもので、尾錠１６により係止される。」と記載され、
　同第４欄第４行〜第４欄第１０行には、
「また、ファンモーター８と集塵箱９は掃除機本体７の略中央部に設けられた隔壁１９によって隔てられる。そして、この隔壁１９にはリブ２０により多数の通気孔２１を形成した通気板２２が取着してある。また上記隔壁１９は弾性材料から形成されたモーターサポートゴム２３およびパッキン２４と互いに気密に当接している。」と記載され、
　同第４欄第１１行〜第４欄第２１行には、
「そしてパッキン２４は第５図〜第７図に示すように、通気板２２の環状段部２２ａに装着される環状部２４ａと、この環状部２４ａの後側より一体形成され、隔壁１９の前面に弾接するリップ２８と、上記環状部２４ａの内側へ突設された複数の押圧部２６と、これら押圧部２６より後方へ形成され、上記通気孔２１を貫通してその後部孔縁に係合する係止部２５とから構成され、かつ各押圧部２６の先端には凸状のすべり止め２７を形成したものである。」と記載されている。
　したがって、甲第１号証には、以上の記載と第１〜７図の記載からみて、結局、次のとおりの電気掃除機が記載してあるものと認められる。
「本体上半部と本体下半部とを接合して本体７が組み立てられるようにした電気掃除機において、
　上記本体７の吸込口と、本体７に内装されたファンモーター８との間に形成される凹所内に、前面に吸気口が設けられると共に背面に排気口が設けられた集塵箱９が嵌挿され、この集塵箱９の前面が、本体に係合した前カバー１３で気密に塞がれることにより、本体７の内部に気流を前後方向に導く、集塵室が形成され、この集塵室でエアータイト性を向上した電気掃除機。」
　
［甲第２号証］
　甲第２号証の第２頁左上欄第１２行〜第１９行には、
「１は掃除機本体ケース、２はモー夕、３はコードリール、４は集じん装置、５は除じん装置、６は前蓋装置を示す。
　１本体ケースはほぼ中央で左右に２分割された２つの合成樹脂製部品を合わせ形成される。そして内部はモー夕収納室７、コード巻取装置収納室８、集・除じん装置収納室９、部品収納室１０、排気室１１等各室に区切られている。」と記載され、
　同第２頁右上欄第３行〜第１１行には、
「集・除じん装置収納室９部分は、集じん装置４を脱着できるように外部に開口した取出口１７が設けられており、この取出口１７を覆うように、前蓋装置６が開閉自在に取付けられている、４集じん装置は次のように構成されている。
　合成樹脂等で形成された箱状の集じんケース１８の底部に、じん埃ろ過用の細目フィルター１９が一体的に設けられている。」と記載され、
　同第２頁左下欄第９行〜第１３行には、
「２６は集じんケース１８を本体ケース１の取出口１７より、収納室９内へ挿入し気密的に本体ケース１にセットするための気密パッキングであり集じんケース１８のフランジ２４部分に嵌着保持されている。」と記載され、
　同第３頁左下欄第２行〜第１５行には、
「６前蓋装置は次のように構成されている。
　４８は前蓋であり本体ケース１の取出口１７部分を覆うように開閉自在に本体ケース１に取付けられている。４９はフロントカバーで５０吸込口を有している。この吸込口５０部分に位置して逆流防止弁５１が配置されている。
　５２はクランプで、バネ５３を介して前蓋４８とフロントカバー４９間に配設されている。このクランプ５２は、前蓋４８を本体ケース１に係合させ開閉自在に保持するためのものである。
　５４は蓋カバーであり、前述した集じんケース１８に嵌着された気密パッキング２６を本体ケース１の取出口１７部分に狭持するためのものである。」と記載されている。
　したがって、甲第２号証には、以上の記載と第１〜３図の記載からみて、結局、次のとおりの電気掃除機が記載してあるものと認められる。
「合成樹脂成形品である右半部と左半部とを接合して本体ケース１が組み立てられるようにした電気掃除機において、
　上記本体ケース１の取出口１７と、本体ケース１に内装されたモータ２との間に形成される集・除じん装置収納室９内に、背面に排気口が設けられた前面開放状の集じんケース１８が嵌挿され、
　この本体ケース１の前面が、本体ケース１に係合した前蓋装置６で気密に塞がれることにより、本体ケース１の内部に気流を前後方向に導く集塵室が形成された電気掃除機」　
［甲第３号証］
　甲第３号証の第２頁左欄第１７行〜２４行には、
「１は小型携帯用掃除機の本体で、
　前方に吸気筒２を備えた前方壁３を有すると共に後方に把手４を形成した機器収納部５と、
　この収納部５の下底部分を前方に延長して設けた前方下底６の周囲から左右二分割の側面板７ａ、７ｂと前方板８とからなる側壁を上方に延設することにより上方開口の筐体状に構成した収塵凹所９とからなり、」と記載され、
　同第２頁左欄第３０行〜同右欄第１０行には、
「１４は前記本体１の収塵凹所９の上方開口を覆う収塵蓋で、前記本体１の前方壁上方に蝶番機構１５を介して開閉自在に取り付けられているもので、しかも左右の垂下片１６ａ、１６ｂを左右両端部分に、前記前面板８の上側に位置して該前面板８を覆う吸込口１７を前端部分に、夫々有している。さらに１８，１８は前記収塵蓋１４の裏側に設けた一対のフィルター押え用突条である。
　１９は前記収塵凹所９に着脱自在に装備される上方開ロの収塵ケースで、該収塵ケース１９は前記収塵凹所９に収納したときに該凹所９の上方開口縁より下方で前記下底６及び側面板７ａ、７ｂから所定の間隙を有した状態に位置する底面フィルター部２０及び側面フィルター部２１と、前記前方壁３に所定の間隙を有して対向する後面フィルター部２２とを有すると共に、前記側面フィルター部２１の上方から前記後面フィルター部２２の両側まで一対の立壁２３、２３を設けている。さらに２４は該収塵ケース１９の前記側面フィルター部２１上方個所に周設された水平鍔、２５は前記後面フィルター部２２周縁個所に前記水平鍔２４と連続して周設された縦鍔で、これら水平鍔２４及び縦鍔２５の周端にはシール用パッキング２６を配設している。そしてこの収塵ケース１９はその水平鍔２４及び縦鍔２５を前記収塵凹所９の上方開口縁及び前方壁３に、シール用パッキング２６を介して装着されることによって底面フィルター部２０、側面フィルター部２１、後面フィルター部２２が夫々前方下底９、側面板７ａ、７ｂ、前方壁３と所定の間隙を有した状態で収塵凹所（９）に嵌め込み装備される。」と記載され、
第２頁右欄第１１行〜第１７行には、
「該紙フィルター２７の周端部２８を前記収塵ケース１９の上方開口端周縁に配置して収塵蓋１４を閉塞することにより、前記フィルター押え突条１８が該紙フィルター２７の紙表面中央部分を収塵ケース１９底面フィルター部２０方向に押圧して広い塵埃収納個所を形成する」と記載されている。
　したがって、甲第３号証には、以上の記載と第１〜６図の記載からみて、結局、次のとおりの電気掃除機が記載してあるものと認められる。
「本体右半部と本体左半部とを接合して本体が組み立てられるようにした小型携帯用掃除機において、
　前方に吸気筒を備えた前方壁を有すると共に後方に把手を形成した機器収納部と、
この機器収納部の下底部分を前方に延長して設けた前方下底の、周囲から左右二分割の側面板と前方板とからなる側壁を上方に延設して形成された収塵凹所と、
　本体の前方壁上方に蝶番機構を介して開閉自在に取り付けられ、左右両端部分に、左右の垂下片を有し、前端部分に、前方板の上側に位置して該前方板を覆う吸込口を有し、さらにその裏側に、一対のフィルター押え用突条を有する収塵蓋と、
からなり、
　収塵凹所の上面が、本体に係合した収塵蓋で塞がれることにより、本体の内部に気流を前後方向に導くようにした小型携帯用掃除機」
　
（３）対比・判断　
　請求項１に係る発明と、甲第１号証記載の発明とを対比すると、
　甲第１号証記載の「本体７」は請求項１に係る発明の「本体」に相当し、以下、同様に「ファンモーター８」は「送風機」に、「集塵箱９」は「ケース」に、「本体７の内部に気流を前後方向に導く、集塵室が形成され」る点は「本体の内部に気流を前後方向に導く、集塵室が形成され」る点に一応相当するものと認められ、かつ、「集塵室でエアータイト性を向上した」は「集塵室で本体の接合部や本体に生じたクラックからの空気漏れが防止されるようになされた」に相当するから、両者は、
「本体が組み立てられるようにした電気掃除機において、
　上記本体の吸込口と、本体に内装された送風機との間に形成される凹所内に、前面に吸気口が設けられると共に背面に排気口が設けられたケースが嵌挿され、このケースが、蓋で気密に塞がれることにより、本体の内部に気流を前後方向に導く、集塵室が形成され、この集塵室で本体の接合部や本体に生じたクラックからの空気漏れが防止されるようになされた電気掃除機。」
である点で一致し、以下の点で相違する。
　
ａ）請求項１に係る発明は、本体が「合成樹脂成形品である本体右半部と本体左半部とを接合」したものであるのに対し、甲第１号証記載の発明は、本体７が「本体上半部と本体下半部とを接合」したものである点。
ｂ）請求項１に係る発明は、ケースが「上面開放状」であるのに対し、甲第１号証記載の発明の集塵箱９は「前面開放状」のものであって、上面には開放部分がない点。
ｃ）請求項１に係る発明は、「ケースの上面」が、本体に係合した蓋で気密に塞がれるものであるのに対し、甲第１号証記載の発明は、「集塵箱９の前面」が、本体に係合した蓋で気密に塞がれるものである点。
　
　そこで、上記相違点ａについて検討すると、掃除機本体を合成樹脂成型品とすることは甲第２号証に記載があり、かつ、明らかに周知であり、どのような割形の成形品として接合・組立するかも単なる設計事項であるから、相違点ａは格別の相違ではない。
　相違点ｂについては、ケースが「上面開放状」である点について甲第２号証には全く記載も示唆もなく、甲第３号証には、収塵ケース１９が立壁２３、２３の形状からみて上面開放状には一応見えるものの、この立壁２３、２３はシート状の紙フィルター２７を第４図に示すような形態で支持するためのものであって、全体として請求項１に係る発明のケースに相当する形状ではなく、シール用パッキング２６の配設位置からして収塵のための空間部分は収塵蓋１４に形成されているものと認められるものである。
　したがって、相違点ｂに係る構成は甲第１〜３号証に記載がなく、容易に想到できるものと認めるに足る理由もない。
　相違点ｃについては、上記相違点ｂで検討したように、上面開放状のケースについて甲第１〜３号証に記載がないものであるから、当然にそのケース上面を気密に塞ぐ蓋についても甲第１〜３号証には記載も示唆もないものである。
　
　そして、請求項１に係る発明は、上記相違点ｂ，ｃを有することにより、ケースの上面が、本体に係合した蓋で気密に塞がれて、本体の内部に気流を前後方向に導く集塵室が形成され、この集塵室で本体の接合部や本体に生じたクラックからの空気漏れが防止されるという効果を奏するものと認められる。
　
　したがって、請求項１に係る発明は、甲第１〜３号証に記載された発明に基づいて当業者が容易に発明をすることができたものと認めることはできない。
　
（４）むすび　
　以上のとおりであるから、この特許異議申立ての理由及び証拠方法によっては、請求項１に係る特許を取り消すことはできない。
　また、他に請求項１に係る特許を取り消すべき理由を発見しない。
　よって、結論のとおり決定する。
【異議決定日】
平成１２年１２月２０日（２０００．１２．２０）